(57)【要約】【課題】スペーサの商品収納側の面に凹凸部を生ずることがなく、凹凸部による商品の落下時や収納時の姿勢の乱れを防止することのできる自動販売機の商品収納コラムを提供する。【解決手段】スライド板５をスペーサ４に対して商品収納側の反対側に配置するとともに、スペーサ４及びスライド板５を互いに幅方向両端側が上下方向に移動自在に係合するように形成したので、スペーサ４の商品収納側に凹凸部（例えば、リンク部材６との連結部）が形成されることがなく、凹凸部による商品の落下時や収納時の姿勢の乱れを確実に防止することができる。【選択図】図６
2007316838.tif 000002
【特許請求の範囲】
【請求項１】
互いに間隔をおいて対向する一対の側板と、各側板間に上下方向に延びるように形成された商品通路と、商品通路内の幅方向一端側に設けられ、商品通路に沿って上下方向に延びる通路幅調整用のスペーサと、スペーサに上下方向に移動自在に設けられたスライド部材と、一端を一方の側板に回動自在に連結され、他端をスライド部材に回動自在に連結されたリンク部材とを備え、商品通路の幅方向他端側の側板とスペーサとの間に商品を収納するとともに、スペーサを商品通路の幅方向に移動することにより商品通路の通路幅を調整するようにした自動販売機の商品収納コラムにおいて、
前記スライド部材をスペーサに対して商品収納側の反対側に配置し、スペーサ及びスライド部材を互いに幅方向両端側が上下方向に移動自在に係合するように形成した
ことを特徴とする自動販売機の商品収納コラム。
【請求項２】
前記スペーサ及びスライド部材のうち一方の幅方向両端側を折り曲げることにより上下方向に延びる幅方向一対の係合部を形成し、各係合部によってスペーサとスライド部材とを上下方向に移動摺動自在に係合した
ことを特徴とする請求項１記載の自動販売機の商品収納コラム。
【請求項３】
前記スライド板の幅方向一端にスペーサの幅方向一方の係合部と係合する係合片を設け、スペーサの一方の係合部の折り曲げ部分にはスライド板の係合片を挿通可能な切り欠き部を設けた
ことを特徴とする請求項２記載の自動販売機の商品収納コラム。
【請求項４】
前記スペーサとスライド部材との対向面の一方に上下方向に延びる突条部を設け、スペーサとスライド部材との対向面を互いに突条部のみが接触するように形成した
ことを特徴とする請求項１、２または３記載の自動販売機の商品収納コラム。
【請求項５】
前記スライド部材に、横断面が厚さ方向に凹凸をなす補強部を上下方向に延びるように設けた
ことを特徴とする請求項１、２、３または４記載の自動販売機の商品収納コラム。
【請求項６】
前記スライド部材に、その幅方向端部を厚さ方向に折り重ねてなる補強部を上下方向に延びるように設けた
ことを特徴とする請求項１、２、３、４または５記載の自動販売機の商品収納コラム。
【請求項７】
前記リンク部材の他端側にリンク部材の幅方向一端側から他端側に向かって延びる連結部を設け、
スライド部材にはリンク部材の他端が回動自在に連結される連結片を設けるとともに、連結片にはリンク部材の連結部をリンク部材の幅方向一端側から他端側に向かって挿入可能な連結孔を設け、
連結片と連結部とを、リンク部材の所定の回動位置で連結孔への連結部の挿入を許容し、リンク部材の他の回動位置では連結部がリンク部材の幅方向他端側から一端側への移動を規制されるように形成した
ことを特徴とする請求項１、２、３、４、５または６記載の自動販売機の商品収納コラム。
【請求項８】
前記リンク部材の幅方向他端側に連結部側に突出する突出部を設け、
スライド部材の連結片を、その所定位置に設けた切り欠き部に突出部をリンク部材の幅方向に挿通させることにより、リンク部材の所定の回動位置で連結孔への連結部の挿入を許容し、切り欠き部の存在しない部分に突出部を幅方向に係止させることにより、リンク部材の他の回動位置で連結部がリンク部材の幅方向他端側から一端側への移動を規制されるように形成した
ことを特徴とする請求項７記載の自動販売機の商品収納コラム。
【請求項９】
前記スライド部材の連結片に、リンク部材の回動を所定位置で規制する回動規制部を一体に設けた
ことを特徴とする請求項７または８記載の自動販売機の商品収納コラム。
【請求項１０】
前記スライド部材の連結片を幅方向一対設け、各連結片に連結される連結部をリンク部材の幅方向一端側及び他端側にそれぞれ設けた
ことを特徴とする請求項７、８または９記載の自動販売機の商品収納コラム。
【発明の詳細な説明】
【技術分野】
【０００１】
本発明は、缶、ビンまたはペットボトル入り飲料を収納する自動販売機の商品収納コラムに関するものである。
【背景技術】
【０００２】
従来、この種の自動販売機の商品収納コラムとしては、互いに間隔をおいて対向する一対の側板と、各側板間に上下方向に延びるように形成された商品通路と、商品通路内の幅方向一端側に設けられ、商品通路に沿って上下方向に延びる通路幅調整用のスペーサと、スペーサに上下方向に移動自在に設けられたスライド部材と、一端を一方の側板に回動自在に連結され、他端をスライド部材に回動自在に連結されたリンク部材とを備え、商品通路の幅方向他端側の側板とスペーサとの間に商品を収納するとともに、スペーサを商品通路の幅方向に移動することにより商品通路の通路幅を調整するようにしたものが知られている（例えば、特許文献１参照。）。この商品収納コラムでは、スペーサから切り起こすことによって形成した連結片に上下方向に延びる長孔を設け、スライド部材に連結されたリンク部材の端部を連結片の長孔に上下方向に移動自在に連結することにより、スペーサにスライド部材及びリンク部材を組み付けている。
【特許文献１】特開２００５−２０８９２９号公報
【発明の開示】
【発明が解決しようとする課題】
【０００３】
しかしながら、商品収納コラムでは、連結片をスペーサから切り起こすことによって形成しているため、切り起こし部分の開口部によってスペーサの商品収納側の面に凹凸部が生ずる。このため、商品通路内の商品がスペーサの凹凸部によって落下時や収納時の姿勢が乱れ、不適正な姿勢での収納により商品詰まりや搬出不良を生ずるおそれがあった。
【０００４】
本発明は前記問題点に鑑みてなされたものであり、その目的とするところは、スペーサの商品収納側の面に凹凸部を生ずることがなく、凹凸部による商品の落下時や収納時の姿勢の乱れを防止することのできる自動販売機の商品収納コラムを提供することにある。
【課題を解決するための手段】
【０００５】
本発明は前記目的を達成するために、互いに間隔をおいて対向する一対の側板と、各側板間に上下方向に延びるように形成された商品通路と、商品通路内の幅方向一端側に設けられ、商品通路に沿って上下方向に延びる通路幅調整用のスペーサと、スペーサに上下方向に移動自在に設けられたスライド部材と、一端を一方の側板に回動自在に連結され、他端をスライド部材に回動自在に連結されたリンク部材とを備え、商品通路の幅方向他端側の側板とスペーサとの間に商品を収納するとともに、スペーサを商品通路の幅方向に移動することにより商品通路の通路幅を調整するようにした自動販売機の商品収納コラムにおいて、前記スライド部材をスペーサに対して商品収納側の反対側に配置し、スペーサ及びスライド部材を互いに幅方向両端側が上下方向に移動自在に係合するように形成している。
【０００６】
これにより、スライド部材がスペーサに対して商品収納側の反対側に配置されるとともに、その幅方向両端側がスペーサに上下方向に移動自在に係合することから、スペーサの商品収納側には凹凸部（例えば、リンク部材との連結部）が形成されることがない。
【発明の効果】
【０００７】
本発明によれば、スペーサの商品収納側に凹凸部（例えば、リンク部材との連結部）が形成されることがないので、凹凸部による商品の姿勢の乱れが生ずることがなく、凹凸部による商品の落下時や収納時の姿勢の乱れを確実に防止することができる。
【発明を実施するための最良の形態】
【０００８】
図１乃至図７は本発明の第１の実施形態を示すもので、図１は商品収納コラムの概略側面図、図２はその一部省略正面図、図３及び図４はリンク部材とスライド板との連結構造を示す要部平面断面図、図５はその要部斜視図、図６はその要部分解斜視図、図７は図３におけるＸ−Ｘ線矢視方向断面図である。
【０００９】
この商品収納コラムは、互いに左右方向に間隔をおいて対向する一対の側板１と、各側板１間に形成された商品通路２と、商品通路２を間にして前後方向に対向する複数の円弧板３と、商品通路２内の幅方向一端側に配置された通路幅調整用のスペーサ４と、スペーサ４に上下方向に移動自在に設けられたスライド板５と、スライド板５と一方の側板１に連結された複数のリンク部材６とを備え、商品通路２の幅方向他端側の側板１とスペーサ４との間に商品Ａを収納するようになっている。
【００１０】
各側板１は商品通路２の両側面をなすように配置され、一方の側板１には各リンク部材６の一端が連結されている。
【００１１】
商品通路２は上下方向に延びるように形成され、その下端には商品通路２内の商品Ａを一個ずつ落下搬出する商品搬出機構２ａが設けられている。
【００１２】
各円弧板３は商品通路２の外側に凸状をなすように湾曲し、上端を各側板１に回動自在に支持されている。各円弧板３は商品通路２の前方及び後方にそれぞれ上下方向に多数配列され、各円弧板３によって蛇行状の商品通路２が形成されている。
【００１３】
スペーサ４は、商品通路２の上下方向に延びる板状の部材からなり、その幅方向両端にはスライド板５と係合する係合部４ａがそれぞれ設けられている。各係合部４ａはスペーサ４の両端部をＬ字状に折り返すことによって形成され、スペーサ４の上端から下端に亘って連続して延びるように形成されている。
【００１４】
スライド板５はスペーサ４の一方の面（商品収納側の反対側の面）側に配置された板状の部材からなり、その幅方向両端部はそれぞれスペーサ４の各係合部４ａに上下方向に移動自在に係合している。また、スライド板５の上下複数箇所には各リンク部材６の他端がそれぞれ連結される連結片５ａが設けられている。連結片５ａはスライド板５の一部を切り起こすことによってスペーサ４の反対側に突出するように形成され、互いにスライド板５の幅方向に間隔をおいて一対ずつ設けられている。連結片５ａは縦長の略四角形状に形成され、その上下方向中央にはリンク部材６を連結する連結孔５ｂが設けられている。連結片５ａの突出方向先端にはリンク部材６を幅方向に挿通可能な切り欠き部５ｃが設けられ、切り欠き部５ｃは連結片５ａの上下方向中央に配置されている。また、スライド板５の幅方向両端側にはスペーサ４側に突出する突条部５ｄが上下方向に延びるように設けられ、スライド板５は各突条部５ｄのみがスペーサ４との対向面に接触するように形成されている。
【００１５】
リンク部材６は板状の部材からなり、その一端は一方の側板１にシャフト６ａを介して回動自在に連結されている。リンク部材６の他端側にはリンク部材６の幅方向一端側から他端側に向かって延びる連結部６ｂが設けられ、連結部６ｂはスライド板５の連結孔５ｂに挿入されるようになっている。また、リンク部材６の幅方向他端側には長さＬ1 だけ連結部６ｂ側に突出する突出部６ｃが設けられ、突出部６ｃは連結部６ｂとの間にリンク部材６の長手方向に所定間隔Ｌ2 をおいて設けられている。この場合、間隔Ｌ2 は、連結片５ａの突出方向における連結孔５ｂの開口縁と連結片５ａの先端縁との最短距離Ｌ3 よりも狭く、同方向における連結孔５ｂの開口縁と切り欠き部５ｂの底部との最短距離Ｌ4 よりも広く形成されている。
【００１６】
以上のように構成された商品収納コラムにおいては、商品投入口７側に設けられた幅調整機構８を収納商品Ａの幅に合わせて幅方向に移動すると、スペーサ４が幅調整機構８と共に各側板１間を幅方向に移動し、商品通路２の幅が商品Ａのサイズに応じて設定される。即ち、スペーサ４は各リンク部材６によって支持され、各リンク部材６の回動及びスライド板５の上下方向の移動により、スペーサ４が側板１に対して平行状態を保ちながら幅方向に移動する。その際、スライド板５はスペーサ４に対して商品収納側の反対側に配置されるとともに、その幅方向両側をスペーサ４の各係合部４ａによって上下方向に移動自在に支持されることから、スペーサ４の商品収納側には凹凸部（例えば、リンク部材６との連結部）が形成されることがない。
【００１７】
また、前記商品収納コラムの組立時において、リンク部材６の他端をスライド板５に連結する場合は、図４に示すようにリンク部材６の連結部６ｂをスライド板５の連結片５ａの連結孔５ｂに挿入する。その際、図７の実線に示すようにリンク部材６の所定の回動位置（リンク部材６がスライド板５に直交する向き）で連結部６ｂを連結孔５ｂにリンク部材６の幅方向一端側から他端側に向かって挿入することにより、リンク部材６の突出部６ｃが連結片５ａの切り欠き部５ｃ内を挿通しながら連結片５ａの幅方向外側まで移動し、この状態で図７の一点鎖線に示すようにリンク部材６を他の回動位置（切り欠き部５ｃの存在しない位置）まで回動することにより、リンク部材６がスライド板５に連結される。これにより、リンク部材６を幅方向に移動しても、突出部６ｃが連結片５ａにおける切り欠き部５ｃの存在しない部分に係止することから、リンク部材６がスライド板５から外れることがない。
【００１８】
このように、本実施形態の商品収納コラムによれば、スライド板５をスペーサ４に対して商品収納側の反対側に配置するとともに、スペーサ４及びスライド板５を互いに幅方向両端側が上下方向に移動自在に係合するように形成したので、スペーサ４の商品収納側に凹凸部（例えば、リンク部材６との連結部）が形成されることがなく、凹凸部による商品Ａの落下時や収納時の姿勢の乱れを確実に防止することができる。
【００１９】
また、スペーサ４の幅方向両端側を折り曲げることにより上下方向に延びる幅方向一対の係合部４ａを形成し、各係合部４ａによってスペーサ４とスライド板５とを上下方向に移動自在に係合するようにしたので、各係合部４ａがスペーサ４の曲げ変形に対する補強部となり、スペーサ４の撓みを防止することができる。尚、スライド板５に同様の係合部を設けることにより、スペーサ４とスライド板５とを係合するようにしてもよい。
【００２０】
更に、スライド板５におけるスペーサ４との対向面に上下方向に延びる突条部５ｄを設け、スペーサ４とスライド板５との対向面を互いに突条部５ｄのみが接触するようにしたので、スペーサ４とスライド板５との接触による摩擦抵抗を低減することができ、スライド板５をスペーサ４に対して円滑に摺動させることができる。
【００２１】
また、スライド板５の連結片５ａとリンク部材６の連結部６ｂとを、リンク部材６の所定の回動位置では連結孔５ｂへの連結部６ｂの挿入を許容し、リンク部材６の他の回動位置では連結部６ｂがリンク部材６の幅方向他端側から一端側への移動を規制されるように形成したので、スライド板５とリンク部材６とを連結するに際し、割ピンのような別部品を必要とせず、しかも抜け止めの後加工も不要となり、部品点数及び組立工数の低減を図ることができる。
【００２２】
この場合、リンク部材６の突出部６ｃを連結片５ａの切り欠き部５ｃに幅方向に挿通させることにより、リンク部材６の所定の回動位置で連結孔５ｂへの連結部６ｂの挿入を許容し、切り欠き部５ｃの存在しない部分に突出部６ｃを幅方向に係止させることにより、リンク部材６の他の回動位置で連結部６ｂの幅方向の移動を規制するようにしたので、スライド板５とリンク部材６とを簡単な構造により確実に連結することができる。
【００２３】
図８は本発明の第２の実施形態を示すもので、スライド板５に上下方向に延びる第１の補強部５ｅ及び第２の補強部５ｆを設けたものである。即ち、第１の補強部５ｅは横断面が厚さ方向に凹凸をなすようにスライド板５の一部を屈曲することによって形成され、第２の補強部５ｆはスライド板５の幅方向両端部をそれぞれ厚さ方向に折り重ねることにより形成されている。
【００２４】
これにより、各補強部５ｅ，５ｆによってスライド板５の曲げ変形を抑制することができるので、スライド板５の撓みを防止することができる。尚、第１の補強部５ｅ及び第２の補強部５ｆのうち何れか一方のみを設けるようにしてもよい。
【００２５】
図９は本発明の第３の実施形態を示すもので、スライド板５の連結片５ａにリンク部材６の回動を所定位置で規制する回動規制部５ｇを一体に設けたものである。即ち、回動規制部５ｇは連結片５ａの上部を連結片５ａの突出方向に延出することによって形成され、回動規制部５ｇによってリンク部材６がスライド板５に略直交する位置よりも上方への回動を規制されるようになっている。
【００２６】
これにより、リンク部材６の回動を所定範囲内に規制することができるとともに、回動規制部５ｇが連結片５ａに一体に設けられているので、回動規制用の別部品を追加する必要がなく、構造の簡素化を図ることができる。
【００２７】
図１０及び図１１は本発明の第４の実施形態を示すものである。同図に示すリンク部材９は、リンク部材９の幅方向一端側から他端側に向かってそれぞれ延びる第１の連結部９ａ及び第２の連結部９ｂを有し、第１の連結部９ａはスライド板５の一方の連結片５ａに連結され、第２の連結部９ｂはスライド板５の他方の連結片５ａに連結されるようになっている。また、リンク部材９の幅方向他端側（第１の連結部９ａ側）には、前記実施形態と同様、第１の連結部９ａ側に突出する突出部９ｃが設けられている。更に、スライド板５の一方の第１の補強部５ｅには、リンク部材９の連結時にリンク部材９の幅方向一端側（第２の連結部９ｂ側）を挿通可能な切り欠き部５ｈが設けられている。これにより、リンク部材９を二つの連結部９ａ，９ｂによってスライド板５に連結することができるので、一つの連結部を設けた場合に比べ、リンク部材９の連結部分の強度を高めることができる。
【００２８】
図１２及び図１３は本発明の第５の実施形態を示すものである。本実施形態では、スライド板５の幅方向一端にスペーサ４の幅方向一方の係合部４ａと係合する複数の係合片５ｉを上下方向に間隔をおいて設け、スペーサ４の一方の係合部４ａの折り曲げ部分にはスライド板５の係合片５ｉを挿通可能な複数の切り欠き部４ｂを係合片５ｉと同等の間隔をおいて設けている。これにより、図１４に示すようにスライド板５の幅方向他端側をスペーサ４の幅方向他方の係合部４ａに係合した後、スライド板５の幅方向一端側の各係合片５ｉをそれぞれスペーサ４の幅方向一方の各切り欠き部４ｂに挿入し、スライド板５をスペーサ４に対して上下方向にずらすことにより、スライド板５をスペーサ４に組付けることができるので、スライド板５の組付作業を容易に行うことができる。
【図面の簡単な説明】
【００２９】
【図１】本発明の第１の実施形態を示す商品収納コラムの概略側面図
【図２】商品収納コラムの一部省略正面図
【図３】リンク部材とスライド板との連結構造を示す要部平面断面図
【図４】リンク部材とスライド板との連結構造を示す要部平面断面図
【図５】リンク部材とスライド板との連結構造を示す要部斜視図
【図６】リンク部材とスライド板との連結構造を示す要部分解斜視図
【図７】図３におけるＸ−Ｘ線矢視方向断面図
【図８】本発明の第２の実施形態におけるリンク部材とスライド板との連結構造を示す要部平面断面図
【図９】本発明の第３の実施形態におけるリンク部材とスライド板との連結構造を示す要部斜視図
【図１０】本発明の第４の実施形態におけるリンク部材とスライド板との連結構造を示す要部平面断面図
【図１１】本発明の第４の実施形態におけるリンク部材とスライド板との連結構造を示す要部平面断面図
【図１２】本発明の第５の実施形態におけるリンク部材とスライド板との連結構造を示す要部分解斜視図
【図１３】本発明の第５の実施形態におけるリンク部材とスライド板との組付工程を示す要部平面断面図
【符号の説明】
【００３０】
１…側板、２…商品通路、４…スペーサ、４ａ…係合部、４ｂ…切り欠き、５…スライド板、５ａ…連結片、５ｂ…連結孔、５ｃ…切り欠き部、５ｄ…突条部、５ｅ…第１の補強部、５ｆ…第２の補強部、５ｇ…回動規制部、５ｈ…切り欠き部、５ｉ…係合片、６…リンク部材、６ｂ…連結部、６ｃ…突出部、９…リンク部材、９ａ…第１の連結部、９ｂ…第２の連結部、Ａ…商品。
【図１】
2007316838.tif 000003
【図２】
2007316838.tif 000004
【図３】
2007316838.tif 000005
【図４】
2007316838.tif 000006
【図５】
2007316838.tif 000007
【図６】
2007316838.tif 000008
【図７】
2007316838.tif 000009
【図８】
2007316838.tif 000010
【図９】
2007316838.tif 000011
【図１０】
2007316838.tif 000012
【図１１】
2007316838.tif 000013
【図１２】
2007316838.tif 000014
【図１３】
2007316838.tif 000015